【手続補正書】
【提出日】平成20年2月26日(2008.2.26)
【手続補正１】
【補正対象書類名】明細書
【補正対象項目名】特許請求の範囲
【補正方法】変更
【補正の内容】
【特許請求の範囲】
【請求項１】  少なくとも金銭の支払いをデータを出力するための条件とする画像形成装置であって、
データを出力するための複数の機能からコピー機能かプリント機能を選択する選択手段を含み、
前記プリント機能での出力を行うための処理が途中まで行われていたとしても、前記選択手段により前記コピー機能が選択された場合は、少なくとも金銭の支払いを条件にして、前記選択手段により選択された前記コピー機能での出力を行うことを特徴とする画像形成装置。
【請求項２】  請求項１に記載の画像形成装置において、
前記プリント機能は、他の装置から転送されてきたデータを出力する機能であり、前記コピー機能は、読み取った画像を出力する機能であり、
前記プリント機能が選択された際に前記他の装置から転送されたデータが出力されずに記憶されていたとしても、前記選択手段により前記コピー機能が選択された場合は、少なくとも金銭の支払いを条件にして、前記コピー機能が選択された後に読み取った画像を出力することを特徴とする画像形成装置。
【請求項３】  少なくとも金銭の支払いをデータを出力するための条件とする画像形成装置であって、
データを出力するための複数の機能からコピー機能かプリント機能を選択する選択手段を含み、
前記コピー機能での出力を行うための処理が途中まで行われていたとしても、前記選択手段により前記プリント機能が選択された場合は、少なくとも金銭の支払いを条件にして、前記選択手段により選択された前記プリント機能での出力を行うことを特徴とする画像形成装置。
【請求項４】  請求項３に記載の画像形成装置において、
前記コピー機能は、読み取った画像を出力する機能であり、前記プリント機能は、他の装置から転送されてきたデータを出力する機能であり、
前記コピー機能が選択された際に原稿台に原稿が置いてあったとしても、前記プリント機能が選択された場合は、少なくとも金銭の支払いを条件にして、前記プリント機能が選択された後に他の装置から転送されてきたデータを出力することを特徴とする画像形成装置。
【請求項５】  少なくとも金銭の支払いをデータを出力するための条件とする画像形成装置の制御方法であって、
データを出力するための複数の機能からコピー機能かプリント機能を選択する選択工程を含み、
前記プリント機能での出力を行うための処理が途中まで行われていたとしても、前記選択工程において前記コピー機能が選択された場合は、少なくとも金銭の支払いを条件にして、前記選択工程において選択された前記コピー機能での出力を行うことを特徴とする画像形成装置の制御方法。
【請求項６】  請求項５に記載の制御方法において、
前記プリント機能は、他の装置から転送されてきたデータを出力する機能であり、前記コピー機能は、読み取った画像を出力する機能であり、
前記プリント機能が選択された際に前記他の装置から転送されたデータが出力されずに記憶されていたとしても、前記コピー機能が選択された場合は、少なくとも金銭の支払いを条件にして、前記コピー機能が選択された後に読み取った画像を出力することを特徴とする画像形成装置の制御方法。
【請求項７】  少なくとも金銭の支払いをデータを出力するための条件とする画像形成装置の制御方法であって、
データを出力するための複数の機能からコピー機能かプリント機能を選択する選択工程を含み、
前記コピー機能での出力を行うための処理が途中まで行われていたとしても、前記選択工程において前記プリント機能が選択された場合は、少なくとも金銭の支払いを条件にして、前記選択工程において選択された前記プリント機能での出力を行うことを特徴とする画像形成装置の制御方法。
【請求項８】  請求項７に記載の制御方法において、
前記コピー機能は、読み取った画像を出力する機能であり、前記プリント機能は、他の装置から転送されてきたデータを出力する機能であり、
前記コピー機能が選択された際に原稿台に原稿が置いてあったとしても、前記プリント機能が選択された場合は、少なくとも金銭の支払いを条件にして、前記プリント機能が選択された後に他の装置から転送されてきたデータを出力することを特徴とする画像形成装置の制御方法。
【請求９】  請求項１〜４のいずれか１項に記載の画像形成装置の各手段としてコンピュータを機能させるための、コンピュータにより実行されるプログラム。
【手続補正２】
【補正対象書類名】明細書
【補正対象項目名】０００７
【補正方法】変更
【補正の内容】
【０００７】
【課題を解決するための手段】
本発明の画像形成装置は、少なくとも金銭の支払いをデータを出力するための条件とする画像形成装置であって、データを出力するための複数の機能からコピー機能かプリント機能を選択する選択手段を含み、前記プリント機能での出力を行うための処理が途中まで行われていたとしても、前記選択手段により前記コピー機能が選択された場合は、少なくとも金銭の支払いを条件にして、前記選択手段により選択された前記コピー機能での出力を行うことを特徴とする。
【手続補正３】
【補正対象書類名】明細書
【補正対象項目名】０００８
【補正方法】変更
【補正の内容】
【０００８】
また、本発明の画像形成装置において、前記プリント機能は、他の装置から転送されてきたデータを出力する機能であり、前記コピー機能は、読み取った画像を出力する機能であり、前記プリント機能が選択された際に前記他の装置から転送されたデータが出力されずに記憶されていたとしても、前記選択手段により前記コピー機能が選択された場合は、少なくとも金銭の支払いを条件にして、前記コピー機能が選択された後に読み取った画像を出力することを特徴とする。
【手続補正４】
【補正対象書類名】明細書
【補正対象項目名】０００９
【補正方法】変更
【補正の内容】
【０００９】
また、本発明の画像形成装置は、少なくとも金銭の支払いをデータを出力するための条件とする画像形成装置であって、データを出力するための複数の機能からコピー機能かプリント機能を選択する選択手段を含み、前記コピー機能での出力を行うための処理が途中まで行われていたとしても、前記選択手段により前記プリント機能が選択された場合は、少なくとも金銭の支払いを条件にして、前記選択手段により選択された前記プリント機能での出力を行うことを特徴とする。
また、本発明の画像形成装置において、前記コピー機能は、読み取った画像を出力する機能であり、前記プリント機能は、他の装置から転送されてきたデータを出力する機能であり、前記コピー機能が選択された際に原稿台に原稿が置いてあったとしても、前記プリント機能が選択された場合は、少なくとも金銭の支払いを条件にして、前記プリント機能が選択された後に他の装置から転送されてきたデータを出力することを特徴とする。
【手続補正５】
【補正対象書類名】明細書
【補正対象項目名】００１０
【補正方法】変更
【補正の内容】
【００１０】
また、本発明の画像形成装置の制御方法は、少なくとも金銭の支払いをデータを出力するための条件とする画像形成装置の制御方法であって、データを出力するための複数の機能からコピー機能かプリント機能を選択する選択工程を含み、前記プリント機能での出力を行うための処理が途中まで行われていたとしても、前記選択工程において前記コピー機能が選択された場合は、少なくとも金銭の支払いを条件にして、前記選択工程において選択された前記コピー機能での出力を行うことを特徴とする。
【手続補正６】
【補正対象書類名】明細書
【補正対象項目名】００１１
【補正方法】変更
【補正の内容】
【００１１】
また、本発明の画像形成装置の制御方法において、前記プリント機能は、他の装置から転送されてきたデータを出力する機能であり、前記コピー機能は、読み取った画像を出力する機能であり、前記プリント機能が選択された際に前記他の装置から転送されたデータが出力されずに記憶されていたとしても、前記コピー機能が選択された場合は、少なくとも金銭の支払いを条件にして、前記コピー機能が選択された後に読み取った画像を出力することを特徴とする。
【手続補正７】
【補正対象書類名】明細書
【補正対象項目名】００１２
【補正方法】変更
【補正の内容】
【００１２】
また、本発明の画像形成装置の制御方法は、少なくとも金銭の支払いをデータを出力するための条件とする画像形成装置の制御方法であって、データを出力するための複数の機能からコピー機能かプリント機能を選択する選択工程を含み、前記コピー機能での出力を行うための処理が途中まで行われていたとしても、前記選択工程において前記プリント機能が選択された場合は、少なくとも金銭の支払いを条件にして、前記選択工程において選択された前記プリント機能での出力を行うことを特徴とする。
また、本発明の画像形成装置の制御方法において、前記コピー機能は、読み取った画像を出力する機能であり、前記プリント機能は、他の装置から転送されてきたデータを出力する機能であり、前記コピー機能が選択された際に原稿台に原稿が置いてあったとしても、前記プリント機能が選択された場合は、少なくとも金銭の支払いを条件にして、前記プリント機能が選択された後に他の装置から転送されてきたデータを出力することを特徴とする。
【手続補正８】
【補正対象書類名】明細書
【補正対象項目名】００１３
【補正方法】変更
【補正の内容】
【００１３】
また、本発明のプログラムは、上記いずれかの画像形成装置の各手段としてコンピュータを機能させるための、コンピュータにより実行されるプログラムである。